(57)【要約】【課題】排水口が使用者から直接見える見栄えの悪さ、及び排水溝内に排水口を設けることからくる排水溝による排水口の大きさの不適切さ（制限）を解決したシンクの排水構造を提供することがその課題である。【解決手段】シンク１の底面２は手前側より奥側へ向かって下方へ傾斜し奥壁面３に至る傾斜面を有し、該傾斜面の奥壁面３基部に沿って全長に排水溝部４を形成すると共に排水溝部４と底部２で連通する排水溝拡開部５を傾斜面にコ字状壁面６で形成し、該コ字状壁面６には蓋板８を係止する係止段部７を形成し蓋板８下面と排水溝部４の底部間との空間を排水流入口１０とし、上記排水溝拡開部５に排水口９を形成してなるシンクの排水構造である。【選択図】図２
2007247350.tif 000002
【特許請求の範囲】
【請求項１】
シンクの底面は手前側より奥側へ向かって下方へ傾斜し奥壁面に至る傾斜面を有し、該傾斜面の奥壁面基部に沿って全長に排水溝部を形成すると共に排水溝部と底部で連通する排水溝拡開部を傾斜面にコ字状壁面で形成し、該コ字状壁面には蓋板を係止する係止段部を形成し蓋板下面と排水溝部の底部間との空間を排水流入口とし、上記排水溝拡開部に排水口を形成してなるシンクの排水構造。
【発明の詳細な説明】
【技術分野】
【０００１】
本発明は、排水口が直接目に触れ難いために見栄えが良く、而も排水口の大きさが排水溝の大きさに制限を受けることなくシンクの必要とする排水量を排水可能な排水口を選択することができるシンクの排水構造に関するものである。
【０００２】
さらに詳しく述べれば、シンクの底面は手前側より奥側へ向かって下方へ傾斜し奥壁面に至る傾斜面を有し、該傾斜面の奥壁面基部に沿って全長に排水溝部を形成すると共に排水溝部と底部で連通する排水溝拡開部を傾斜面にコ字状壁面で形成し、該コ字状壁面には蓋板を係止する係止段部を形成し蓋板下面と排水溝拡開部の底部間との空間を排水流入口とし、上記排水溝拡開部に排水口を形成してなるために、蓋板により排水口が覆われ手前側（使用者側）から見え難いものである。又、傾斜面に形成した排水溝拡開部に排水口を形成しているために排水口は排水溝部の大きさに直接制限を受けることがないシンクの排水構造に関するものである。
【背景技術】
【０００３】
従来から特許文献１に示される如く、シンクの底面周縁部に連続した排水溝を形成し奥壁面基部に沿った排水溝に排水口を形成してなるシンクの排水構造は知られている。このシンクの排水構造では、排水口が手前側（使用者側）から直接に見え見栄えが良くないものである。又、排水口が排水溝に形成されているために排水口は排水溝より小さいものである必要があり排水溝に制限を受けるものであった。つまり、排水口はシンクに必要とされる排水量から選択されるのではなく排水溝の幅に制限を受けるものであるために適切でない排水口が選択される恐れがあった。
【特許文献１】実開昭５３−９６４５６号公報  （図１及び図３）
【発明の開示】
【発明が解決しようとする課題】
【０００４】
本発明は上記特許文献１におけるシンクの排水構造の欠点、即ち、排水口が使用者から直接見える見栄えの悪さ、及び排水溝内に排水口を設けることからくる排水溝による排水口の大きさの不適切さ（制限）を解決することをその課題とするものである。
【０００５】
詳細に述べれば、排水口の上方に蓋板を設け蓋板下面と排水溝部の底部間との空間を排水流入口としたものであり、さらに、排水溝部と底部で連通する排水溝拡開部を傾斜面にコ字状壁面で形成しこの排水溝拡開部に排水口を形成してなるものである。
【課題を解決するための手段】
【０００６】
上記課題を解決するために、本発明に係るシンクの排水構造は、請求項１に記載した如く、シンクの底面は手前側より奥側へ向かって下方へ傾斜し奥壁面に至る傾斜面を有し、該傾斜面の奥壁面基部に沿って全長に排水溝部を形成すると共に排水溝部と底部で連通する排水溝拡開部を傾斜面にコ字状壁面で形成し、コ字状壁面には蓋板を係止する係止段部を形成し蓋板下面と排水溝部の底部間との空間を排水流入口とし、排水溝拡開部に排水口を形成してなるものである。
【発明の効果】
【０００７】
請求項１に記載のシンクの排水構造は、排水溝部と底部で連通する排水溝拡開部を傾斜面にコ字状壁面で形成し蓋板を設け蓋板下面と排水溝部の底部間との空間を排水流入口とすると共に排水溝拡開部に排水口を形成したために使用者側から直接排水口が見えず見栄えがよいものである。而も排水口は排水溝部に形成されるものでなく排水溝拡開部に排水口を形成したために排水口は適切な大きさを選択することができる。つまり、排水溝拡開部を大きくすれば大きな排水口を設けることができるからである。排水溝拡開部を大きくしても蓋板を設けるためにシンクの使用有効面積はあまり影響を受けないものである。
【発明を実施するための最良の形態】
【０００８】
以下、本発明の実施形態について図面を参照して、詳細に説明する。図１は本発明の実施例であるシンクの平面図、図２は図１に示す実施例のＸ―Ｘ断面図、図３は図１に示す実施例の要部斜視図、図４は図３の蓋板を除いた状態の斜視図である。図１において、１はシンク、２はシンクの底面、３は奥壁面、４は排水溝部である。
【０００９】
シンク１は図２に示す如く、底面２が手前側より奥側に向かって奥壁面３に至る下方に傾斜する傾斜面を有している。傾斜面の奥壁面３基部に沿って全長に排水溝部４が形成されている。排水溝部４は幅を大きくするとシンク１の使用有効面積が狭くなる問題点があり、その大きさには限界があるものである。排水溝部４の略中央部には底部で連通する排水溝拡開部５が形成されている。
【００１０】
排水溝拡開部５は図３、図４に示す如く、底面２が有する傾斜面にコ字状壁面６で形成され、このコ字状壁面６には係止段部７が形成され、係止段部７には蓋板８が係止されて排水溝拡開部５を覆っている。排水溝拡開部５には排水口９が形成されている。コ字状壁面６は厳密にコ字状である必要はなく半円状であっても良いものである。１０は蓋板８下面と排水溝部４の底部との間の空間で形成される排水流入口を示すもので、排水口９に至る下方への傾斜が形成されている。
【００１１】
このシンク１では使用された水はシンク１の底面２に落ち、底面２の傾斜面によって奥壁面３に向かって流下し排水溝部４に流入する。排水溝部４に流入した排水は勾配に従って排水溝拡開部５に向かって流れ、底部で連通する排水溝拡開部５に排水流入口１０より入る。排水流入口１０から入った水は排水口９より排水される。
【００１２】
このシンク１の排水構造では、使用者側から排水口９が蓋板８によって見えないものである。又、排水口９は排水溝部４と底部で連通する排水溝拡開部５に形成されるために排水溝部４の大きさに制限を受けないものである。
【図面の簡単な説明】
【００１３】
【図１】本発明にかかるシンクの実施例の平面図。
【図２】図１に示す実施例のＸ―Ｘ断面図。
【図３】図１に示す実施例の要部斜視図。
【図４】図３の状態より蓋板を除いた状態の要部斜視図。
【符号の説明】
【００１４】
１        シンク
２        底面
３        奥壁面
４        排水溝部
５        排水溝拡開部
６        コ字状壁面
７        係止段部
８        蓋板
９        排水口
１０      排水流入口
【図１】
2007247350.tif 000003
【図２】
2007247350.tif 000004
【図３】
2007247350.tif 000005
【図４】
2007247350.tif 000006